(57)【要約】      （修正有）【課題】力の弱い人や腰痛の人でも、楽に灯油を石油ストーブの灯油タンクに注入できるようにし、灯油タンクが満タンになっても、こぼれないようにし、石油ストーブのタンクの注入口は、メーカーにより大きさが違うため、大きさが違っても、大きさに合う注入管の取り付けを可能にし、ポリタンクに取り付ける注入管をいちいち取り外し、蓋をする必要を無くする。【解決手段】ポリタンクの口と灯油タンクの口を隙間なく管でつなぎ、ポリタンクを台に載せ回転させ、灯油タンクの口には、上から押すようにして管を取り付け、注入管には栓を設ける。【選択図】図１
2006016009.tif 000002
【特許請求の範囲】
【請求項１】
石油ストーブの灯油タンクの注入口と前記石油ストーブの灯油タンクに灯油を入れるための灯油の入ったタンクの口を管でつなぎ、その管をつないだ前記２つのタンクは、前記管の穴以外はタンクの外部に通じる空間がないように管の周りを塞ぎ、前記石油ストーブの灯油タンクに灯油を入れるための灯油の入ったタンクを保持する装置を設け、さらに前記石油ストーブの灯油タンクを保持する装置も設け、前記灯油の入ったタンクとそれを保持する部分を回転させ、そのことで前記石油ストーブの灯油タンクを保持する部分が下降するように構成したことを特徴とする、石油ストーブタンク灯油注入装置又はタンク台。
【請求項２】
石油ストーブの灯油タンクの注入口と前記石油ストーブの灯油タンクに灯油を入れるための灯油の入ったタンクの口を管でつなぎ、その管をつないだ前記２つのタンクは、前記管の穴以外はタンクの外部に通じる空間がないように管の周りを塞ぎ、前記石油ストーブの灯油タンクに灯油を入れるための灯油の入ったタンクを保持する装置を設け、さらに前記石油ストーブの灯油タンクを保持する装置も設け、前記灯油の入ったタンクとそれを保持する部分を回転させ、そのことで前記石油ストーブの灯油タンクを保持する部分が下降するように構成し、前記灯油の入ったタンクに取り付けた管に、灯油の通路を開閉する装置を設けたことを特徴とする、石油ストーブタンク灯油注入装置又はタンク台。
【請求項３】
石油ストーブの灯油タンクの注入口と前記石油ストーブの灯油タンクに灯油を入れるための灯油の入ったタンクの口を管でつなぎ、その管をつないだ前記２つのタンクは、前記管の穴以外はタンクの外部に通じる空間がないように管の周りを塞ぎ、前記石油ストーブの灯油タンクに灯油を入れるための灯油の入ったタンクを保持する装置を設け、さらに前記石油ストーブの灯油タンクを保持する装置も設け、前記灯油の入ったタンクとそれを保持する部分を回転させ、そのことで前記石油ストーブの灯油タンクを保持する部分が下降するように構成し、前記石油ストーブの灯油タンクを保持する装置には、前記灯油タンクの口の大きさに合わせて灯油を注入する管の穴以外は、前記灯油タンクの外部に通じる空間がないようにできるように構成したことを特徴とする、石油ストーブタンク灯油注入装置又はタンク台。
【発明の詳細な説明】
【技術分野】
【０００１】
石油ストーブの灯油タンクに灯油を注入する装置に関する。
【背景技術】
【０００２】
最近見られる石油ストーブの灯油のタンクは、石油ストーブから切り離して灯油を注入できるものが多い、しかし、うっかりすると、灯油が満タンになったのに気づかず、あるいは気づいても、灯油の注入を止めるのが遅れたりすると、たちまちタンクからあふれ出し、さらに少し暗かったりするととても見づらく、タンクが満タンになりさらに注入し、灯油をあふれさせ、火事の原因にもなり、注入管をポリタンクに取り付け、石油ストーブの灯油のタンクよりポリタンクの高さを高くしないと、灯油を注入できず、高低差利用のポンプでの灯油注入は、これもポリタンクを少し高くしないと注入できず、台の上に載せるなどするか、高い方にも注入できるようにポンプを働かせなければならず、ポリタンクを蓋をせず注入管を取り付けたままでも、栓ができる注入管はない。
【発明の開示】
【発明が解決しようとする課題】
【０００３】
力の弱い人や腰痛の人でも、楽にポリタンクから灯油を石油ストーブの灯油タンクに注入できるようにし、灯油を注入するとき、灯油タンクが満タンになっても、灯油をあふれさせ、こぼすことがないようにし、石油ストーブのタンクの注入口は、メーカーにより大きさが違うため、大きさが違っても、大きさに合う注入管の取り付けを可能にし、ポリタンクに取り付ける注入管をいちいち取り外し、蓋をする必要を無くし、ポリタンクに注入管を取り付けたまま倒すと灯油がこぼれる。
【課題を解決するための手段】
【０００４】
石油ストーブから灯油のタンクを取り外せるものは、注入口が１つしかなく、注入口を密閉すれば、漏れることはないので、注入管をタンクの口に入れ、周りを密閉し、ポリタンクの口と注入管の周りも密閉し、灯油を注入すれば、どちらからも決して灯油がもれることなく注入でき、ポリタンクの台は、スプリングなどの力を利用し、灯油の詰まったポリタンクの重さよりも軽く台の上下ができるようにし、そこでポリタンクを回転させれば、注入するタンクが満タンになっても、いくらほうっておいても、タンクから灯油が漏れることはなく、ポリタンクを倒しても灯油が漏れないように注入管に栓を設ける。
【発明の効果】
【０００５】
灯油を漏らすことなくタンクに移し替えることだできるため、漏れて火事になることを防ぎ、漏れることがないため、漏れて失うこともなくなり、力の弱い人や腰痛の人でも楽に灯油をタンクに注入でき、蓋をするのが面倒なため、注入管を付けたままにし、倒すと灯油が漏れる危険をなくす。
【発明を実施するための最良の形態】
【０００６】
石油ストーブの灯油タンクに注入管を入れ、周りを密閉し、ポリタンクも同じように密閉し、ポリタンクを灯油タンクより高い台に載せ、回転させ、注入管に栓を設ける。
【実施例】
【０００７】
本発明の実施例を図、符号と共に説明する。図１は本発明の使用している簡略図である。ポリタンク３の口と石油ストーブの灯油タンク４の口を、注入の管１でつなぐが、どちらのタンクの口も取り付け部２で取り付けるが、方法は何でも良く、どちらのタンクの蓋もネジで取り付けるようになっているので、ここではネジで取り付けることとし、どちらのタンクも、注入の管の周りは塞がれ、穴以外は外部に通じないようになり、そのため、図のようにポリタンクを傾ければ、注入の管の太さが十分大きければ、灯油はポリタンク３から石油ストーブの灯油タンク４に入り、灯油タンク４の中の空気は、ポリタンク３に移動する。灯油タンク４には注入の管１は図のように少し中まで入っており、そのため灯油はその注入の管１の下までは入るが、それ以上はタンク４の空気の逃げ場が無くなるため、厳密には、注入する灯油の圧力が灯油タンク４の中の空気の圧力よりも高いため、注入の管１の下部より少し上まで入ることとなり、そこで図では示さないが、ポリタンク３を右に９０度回転させれば、注入の管１はほぼ逆Ｕ字型のようになり、その中の灯油は、ポリタンク３側の灯油はポリタンク３に、灯油タンク４側の灯油はそのまま注入の管１に残るが、灯油タンク４の注入の管１の取り付け部２を外せば、注入の管１に残った灯油は灯油タンク４の中に入ることとなり、灯油の注入は終わる。注入の管１は穴が１つを示したが、灯油の穴と空気の穴の２つにしても良く、このようにすれば、よりスムースに灯油も空気も流れる。
【０００８】
図２では、ポリタンクと灯油タンクを支える台１０について説明する。一番下の床面と接する部分の下部１１に、互いに嵌め込まれた支柱１２Ａと１２Ｂが図のようにあり、延びた状態で刺すピン１７で長く止めることができ、支柱１２Ｂの上に回動部１３があり、そこにポリタンクを保持する保持部１４があり、それは図のようにポリタンク３を支えるほぼＬ型をした部分にそれを回動部１３で支えるための部分とあわせ、数字の６に似ており、そこに灯油タンク４を保持する保持部１５も図のようにあり、棒状になった部分に、折れ曲がり部１６があり、そこで棒状部分が折れ曲がるようになっている。図（ａ）の保持部１４を右回転させれば、図（ｂ）で示すようになり、それを図（ｃ）で説明すると、保持部１４のＬ型部分を示すが、保持部１４に図のように止まるのは、止め１８が保持部１４から出ており、それが支柱１２Ｂにぶつかりそれ以上は傾かず、これは図でもおわかりのように、左側が重いためであり、この止め１８はもう少し左側にあって、保持部１４をもっと傾けてもかまわず、保持部１４を右に回転させれば、右側の止め１８が支柱１２Ｂとぶつかりそれ以上は回転しないが、そのとき、右下に支柱１２Ｂを拡大した図があるが、ここに回転の戻りを止める止め１９があり、実線で示す止め１９が左方向に移動すると、その斜め部分が支柱１２Ｂに当たり、下方に移動し、これは図示しないがスプリングの力で戻り、点線で示す位置になるため、図（ｂ）の状態を保つことができ、回転させるときは手で押し回転止め１９を解除する。この止めはこのような方法でなくとも、止まればよく、どのような方法でもよいものである。図（ｄ）は支柱１２の伸縮であるが、支柱は１２Ａと１２Ｂの部分に分かれ、１２Ｂが１２Ａの中に嵌り込み、１２Ｂの下部にワイヤー２２が取り付けられ、１２Ａの上部に示されている輪２０は、図示しないが支柱１２Ａに回動自在に取り付けられ、もう片側のワイヤーは支柱１２Ａの上部に取り付けられ、もう１つの輪２０がワイヤー２０を図のように下方に引くためにあり、その輪２０をスプリング２１が引き、スプリング２１の下側は、台下部１１に取り付けられている。そのため保持部１４に灯油満タンのポリタンクを載せ、その重さが２０キロであれば、スプリングの力で１０キロの半分の力で保持部１４を持ち上げることもでき、スプリングの強さで加減でき、下方の輪に足で踏むペダルでも付ければ、足でペダルを踏むことでも持ち上げることができ、下方には上から押せばよく、図示しないが、図（ｃ）で回転を止める止め１９と同じような方法で、支柱１２Ｂを下方に止める。
【０００９】
灯油タンク４の注入口の大きさが各メーカーで違うため、ネジで注入の管を灯油タンクの口に取り付けることが難しく、図３で違う大きさでも合う方法を示す。注入管をタンクの口に取り付けるには、ポリタンクはどれも同じ大きさのネジのようなので、ネジでよいであろう。図３の（ａ）に、蓋を上から押すように取り付ける取り付け部２Ａがあり、それは、タンクの口に当たる部分を変形するもので作り、たとえばスポンジのようなものでもよいが、それが左右に動くように、図に示すように平べったいものに取り付け、取り付け部２Ａとし、左側の上下移動部材２３の中に図のように嵌り、左右に移動でき、上下移動部材は上下方向に移動でき、取り付け部２Ａは、上下左右に動き、前後方向は、灯油タンク４を前後方向に動かせば、大きかろうが小さかろうが、灯油タンクの口に取り付け部材２Ａは間違いなく取り付けられ、そこに注入管１が図のようにあり、これで灯油タンク４は注入管１の穴以外とは外部が通じなくなり、この状態で上下移動部材２３にある止めピン２４が、図（ｂ）の拡大図に示すように、タンクの保持部１５の凹部に嵌り、動かなくなるが、これはただ上から押せば、止めピンの先が斜めになっているため、下方には動くが、スプリング２５で常に左方に押されているため、止めピンが凹部２６に嵌り、上方には動かず、さらに上下移動部材２３が保持部１５の嵌る部分の断面を円形にすれば、取り付け部２Ａは前後方向にも動き、タンク４を前後方向に動かさなくとも良い。このようにしてポリタンク３とその保持部１４を傾け、灯油を注入し、終わればまたタンクの傾きを元に戻し、灯油タンクの口の取り付け部を外すが、止めピン２４を右移動させ、取り付け部２を上方に移動させればよく、注入の管内の灯油が灯油タンクに入り、注入は終了する。どのような方法でも良いが、タンクの口の大きさが違っても、注入の管の穴以外は密閉できればよいものである。
【００１０】
図４を見ると、図１と似ている図であるが、注入の管の灯油を通す管を１Ａとし、空気を通す管を１Ｂとしたもので、通常使われているポリタンクは、口が２つあり、これまでのものは灯油タンク４の中の空気をポリタンク３に入れなければ、ポリタンク３の灯油は出てこないが、そこで取り付け部２の上方にも口を示したが、その口を開き、空気をポリタンク３に入れれば、なかの灯油は出てくるので、灯油タンク４の方も中の空気を外に出さなければ、灯油が灯油タンク４の中に入らず、そのため、灯油タンク４の中の空気を出すために、空気を抜く管１Ｂを設けたもので、灯油は灯油タンク４の中の、注入管の下までは入るが、それは空気抜きの管１Ｂの下までで、これを超すと空気が抜けないため灯油が入らぬこととなり、しかしこの空気抜きの管１Ｂの中に灯油が入ることとなるが、この管１Ｂの高さがポリタンク３の液面５の高さよりも常に高ければ、空気抜きの管１Ｂから灯油が漏れることはない。このようにしてもよいものである。
【００１１】
ポリタンクに注入の管を取り付けたまま放置されているのを良く見かけることがあるが、これはポリタンクの注入の管を取り、蓋をするのが煩わしいので、よく見かけるものである。しかしこのポリタンクを転倒させたりしたら、灯油が漏れ、とても危険である。そこで、図５で注入管に栓を設け、いちいち取り外さなくとも、栓をすることができるもので、図の３はポリタンクで、通常のポリタンクの蓋はネジで蓋をするので、そのネジで注入の管１を取り付けるが、図に示すように栓６を設け、その栓の上方は注入の管１から突き出ており、そこに図のようなネジ７が栓に対し回動自在に取り付けられ、それと噛み合うネジが図のように注入の管側にあり、そのネジの噛合いを外せば、栓６はスプリング８の力で上方に上がり、点線で示す位置に栓が動き、栓が開けられ、灯油を注入できることとなる。栓を閉めるには今述べたことの逆のことをすればよく、このようにすることで、注入の管をいちいち取り付けたり取り外したりしなくとも、栓の開閉ができ、問題は解決し、本発明の灯油注入に使えば、注入の管を取り付けたままで良いこととなる。ここでは栓と言ったが、バルブと言うべきか、蓋と言うべきかのような問題ではなく、注入の管に灯油の通路を開閉する装置を設ければ良いものである。
以上図１から図５までを述べたが、これらをいろいろに組み合わせることが可能である。
【図面の簡単な説明】
【００１２】
【図１】ポリタンクから灯油タンクに灯油を注入している図
【図２】灯油注入のための台の説明図
【図３】灯油タンクの口に注入管を取り付ける図
【図４】灯油の管と空気の管の説明図
【図５】注入管に栓を設けた図
【符号の説明】
【００１３】
１    管
２    取り付け部
３    ポリタンク
４    灯油タンク
５    液面
１０  台  
１４  保持部
１５  保持部
２０  輪
２１  スプリング
２３  上下移動部材
２４  止めピン
２６  凹部
【図１】
2006016009.tif 000003
【図２】
2006016009.tif 000004
【図３】
2006016009.tif 000005
【図４】
2006016009.tif 000006
【図５】
2006016009.tif 000007